(57)【要約】【課題】安全で清潔な食器洗浄機を提供すること。【解決手段】課題を解決する為に、食器洗浄機において、前面が開口する筐体と、筐体内に開口から出し入れ自在に設けられる洗浄槽と、洗浄槽の前面を覆う前パネルと、前パネルに取り付けられ前パネルの前面を覆う化粧パネルとを有し、前パネルと化粧パネルの間には、両部材の隙間を埋めるシール部材を備えるよう構成する。この発明によれば、化粧パネルと化粧パネルの取り付け位置の隙間から水などが進入しても、安全性を確保し、清潔な食器洗浄機を提供することができる。【選択図】図２
2017093936.tif 000002
【特許請求の範囲】
【請求項１】
前面が開口する筐体と、
前記筐体内に前記開口から出し入れ自在に設けられる洗浄槽と、
前記洗浄槽の前面を覆う前パネルと、
前記前パネルに取り付けられ該前パネルの前面を覆う化粧パネルと、
を有し、
前記前パネルと前記化粧パネルの間には、両部材の隙間を埋めるシール部材が設けられることを特徴とする食器洗浄機。
【請求項２】
前記化粧パネルには、該化粧パネルを前記前パネルに固定する固定具を有し、
前記前パネルには前記固定具を通す開口が形成され、
前記シール部材は、前記開口の上方に設けられることを特徴とする食器洗浄機。
【請求項３】
前記シール部材は、スペーサーを介して前記化粧パネル又は前記前パネルに設けられることを特徴とする請求項１又は請求項２に記載の食器洗浄機。
【請求項４】
前記シール部材は弾性を有し、独立発泡構造であることを特徴とする請求項１乃至３に記載の食器洗浄機。
【発明の詳細な説明】
【技術分野】
【０００１】
本発明は、洗浄槽を前側に引出すことで食器類を出し入れする食器洗浄機に関し、詳しくはシステムキッチンのキッチンカウンター下に組み込まれる食器洗浄機に関するものである。
【背景技術】
【０００２】
従来から、システムキッチンに設けて使用するビルトイン食器洗浄機において、洗浄槽の前面を覆う前パネルの前面に、設置するキッチン等の意匠面を構成する構築物と同一材料で形成された化粧パネルを取り付け、キッチンとしての統一感を向上させたものが知られている（例えば、特許文献１）。
また、ビルトイン食器洗浄機において、前面を化粧パネルで覆い、内部で発生した蒸気を排出する排気口を化粧パネルの上部端側に沿って設けることで、前側から排気口を見えにくくすることで、よりデザイン性を向上させたものが知られている（例えば、特許文献２）。
【先行技術文献】
【特許文献】
【０００３】
【特許文献１】特開２００５−２５３８２５号公報
【特許文献２】特開２０１５−１４６９３７号公報
【発明の概要】
【発明が解決しようとする課題】
【０００４】
しかしながら、特許文献１に記載の構成では、化粧パネルとこの化粧パネルの取り付け位置となる前パネルとの間の隙間に水などの液体が進入することで、当該隙間にカビが生じて、よごれの原因となる問題がある。また、化粧パネルと洗浄槽に囲まれた領域に制御装置など電子部品を設ける構成の場合、水などの侵入により安全性に懸念が生じる問題がある。
特に、特許文献２のように、排気口を化粧パネルの上部端面に沿って設ける構成であると、排出された蒸気が結露するなどして、上記で述べた問題が生じる可能性が高まる。
【０００５】
この発明は、上述の課題を解決するためのものであり、発明の目的は、化粧パネルと化粧パネルの取り付け位置の隙間から水などが進入しても、安全で清潔な食器洗浄機を提供することである。
【課題を解決するための手段】
【０００６】
上記の課題を解決する為には、食器洗浄機において、前面が開口する筐体と、筐体内に開口から出し入れ自在に設けられる洗浄槽と、洗浄槽の前面を覆う前パネルと、前パネルに取り付けられ前パネルの前面を覆う化粧パネルとを有し、前パネルと化粧パネルの間には、両部材の隙間を埋めるシール部材を備えるよう構成する。
【発明の効果】
【０００７】
この発明によれば、化粧パネルと化粧パネルの取り付け位置の隙間から水などが進入しても、安全性を確保し、清潔な食器洗浄機を提供することができる。
【図面の簡単な説明】
【０００８】
【図１】実施の形態に係る食器洗浄機をシステムキッチンに組み込んだ状態を前側から見た概略図
【図２】実施の形態に係る食器洗浄機をシステムキッチンに組み込んだ状態の断面図（図１のＡ−Ａ断面図）
【図３】実施の形態に係る食器洗浄機の化粧パネルを外した状態を示す断面図
【図４】実施の形態に係る食器洗浄機の化粧パネルを取り付ける過程を示す断面図
【図５】実施の形態に係る食器洗浄機の化粧パネルを取り付ける過程を示す斜視図
【図６】実施の形態に係る食器洗浄機の化粧パネルを裏側より見た斜視図
【発明を実施するための形態】
【０００９】
（全体の構成）
図１は、実施の形態に係る食器洗浄機をシステムキッチンに組み込んだ状態を前側から見た概略図である。図２は、実施の形態に係る食器洗浄機をシステムキッチンに組み込んだ状態の断面図（図１のＡ−Ａ断面図）である。図３は、実施の形態に係る食器洗浄機において化粧パネルを外した状態を示す断面図である。図４は、実施の形態に係る食器洗浄機において化粧パネルを取り付ける過程を示す断面図である。図５は、実施の形態に係る食器洗浄機において化粧パネルを取り付ける過程を示す斜視図である。図６は、実施の形態に係る食器洗浄機の化粧パネルを裏側より見た斜視図である。
【００１０】
図１〜図５において１００は食器洗浄機であり、１は食器洗浄機１００の前面が開口された例えば外郭が金属で形成された箱状の筐体で、例えば、システムキッチン２００に組み込まれている。筐体１内には、例えば樹脂成形で形成された上面が開口している洗浄槽３が、その外側面に取り付けられた第２のスライドレール４ｂを、筐体１の内側面に取り付けられた第１のスライドレール４ａ上でスライドさせることにより、前面開口部１ａから引き出し可能に収容されている。
【００１１】
また、洗浄槽３は上面が開口していて、その開口から被洗浄物である食器２０が出し入れ自在である。洗浄槽３の内部には食器かご３ａが配設されており食器２０は食器かご３ａに載置するようになっている。
【００１２】
洗浄槽３の底部には、筐体１内に配設された洗浄ポンプ３ｂによって圧送された水の噴出による反力によって回転力が与えられる洗浄ノズル６０が回転自在に配設されていて、食器かご３ａに載置された食器２０を噴出された水により洗浄するようになっている。
洗浄槽３の上面開口３ｃは、洗浄槽３が筐体１内に収容されるとその動作に連動する上蓋３ｄにより機械的に閉塞されるため、洗浄中の水は外部に飛散しないようになっている。
【００１３】
２は筐体１の前面開口部を開閉するための扉体である。
扉体２は洗浄槽３の前面を覆う前パネル２ａと、前パネル２ａの前面に取り付けられる化粧パネル２ｂからなる。前パネル２ａの上面には、操作パネル５が設けられている。操作パネル５には、食器洗浄機１００の電源を投入する電源ボタン５ａ、食器洗浄機１００の運転を操作入力するための入力ボタン５ｂが設けられている。尚、操作パネル５は、扉体２の前面に設けても良い。
【００１４】
そして、これらのボタンを操作入力することによる入力信号は、制御部３０に入力される。制御部３０は、前パネル２ａと洗浄槽３の間に設けられている。制御部３０は、これらの入力に基づき、洗浄ポンプ３ｂや、洗浄動作後に食器を乾燥させるための送風ファン４０やヒーター５０を動作させる。
尚、扉体２及び扉体２の周囲の構造について、後段で詳しく説明する。
【００１５】
また、図１を参照すると、前パネル２ａの上面には、排気口６が設けられている。排気口５ｄと操作部５は、左右方向に隣り合っている。排気口６は、扉体２と筐体１の隙間ｄに位置し、前方に向けて開口している。
排気口６は、送風ファン４０やヒーター５０を動作させて行う食器洗浄の工程の１つである乾燥工程において、筐体１内に配設された送風ファン４０により強制的に洗浄槽３内の空気を食器洗浄機１００の外部に排出するための開口である。
【００１６】
食器洗浄機１００は、図１〜２に示すようにシステムキッチン２００のキッチンカウンター２０１の下に組み込まれている。システムキッチン２００は食器洗浄機１００の他に、例えばＩＨクッキングヒーター等が組み込まれる。
【００１７】
システムキッチン２００は、サイズの異なる複数の引出し式収納部２０２や開き戸式収納部２０３も備えており、システムキッチン２００の構成部材である複数の引出し式収納部２０２や開き戸式収納部２０３の表面は、カラーリングやデザインがその質感とともに統一されている。
【００１８】
そのため、食器洗浄機１００においても全体の統一感を損なわないように構成することが要求され、食器洗浄機１００においては前面を構成する扉体２は、システムキッチン２００との統一感を得るようにする必要がある。
【００１９】
（扉体の構成）
ここで、扉体２について詳しく説明する。
２は筐体１の前面開口部を開閉するための扉体である。扉体２は洗浄槽３の前面３ｅを覆う前パネル２ａと、前パネル２ａの前面に取り付けられる化粧パネル２ｂからなる。前パネル２ａは、洗浄槽３と一体に形成してよく、また、別部品として構成して洗浄槽３に取り付ける形態でもよい。
【００２０】
前パネル２ａの上側には、上取り付け開口２１ａが開口している。この上取り付け開口２１ａは、化粧パネル２ｂを取り付けるための開口である。前パネル２ａの下側には、下取り付け開口２２ａが開口している。この下取り付け開口２２ａは、化粧パネル２ｂを取り付けるための開口である。
また、上取り付け開口２１ａの下側であって、洗浄槽３の前面３ｅと前パネル２ａに挟まれた位置には、制御部３０が位置している。
更に、前パネル２ａの表面であって取り付け開口２１ａ上側には、前パネル２ａの左右の端に至るシール部材３００が設けられている。シール部材３００は、弾性を有し独立発泡構造をなしている。
【００２１】
次に、図６を参照して、化粧パネル２ｂを説明する。
化粧パネル２ｂは板形状をなしている。化粧パネル２ｂの前面は、食器洗浄機１００を設置するキッチンＫのデザインに合った意匠面を構成している。化粧パネル２ｂの裏面には、化粧パネル２ｂを前パネル２ａに固定する為の上固定具２１ｂと下固定具２２ｂがネジ留めされて設けられている。
【００２２】
上固定具２１ｂは、平面部２１１ｂと、平面部２１１ｂから立ち上がり更に平面部２１１ｂと平行は方向に伸びる爪部２１２ｂを有する。平面部２１１ｂには、上固定具２１ｂを化粧パネル２ｂの裏面にネジ留めする為のネジ開口２１３ｂが開口している。上固定具２１ｂは、化粧パネル２ｂの裏面の上側に左右に２つ設けられる。
【００２３】
下固定具２２ｂは、平面部２２１ｂと、平面部２２１ｂから垂直に立ち上がる立ち上げ部２２２ｂを有する。平面部には、下固定具２２ｂを化粧パネルの裏面にネジ止めする為のネジ開口２２３ｂが開口する。立ち上げ部２２２ｂには、下固定具２２ｂを前パネル２ａにネジにより固定する為のネジ開口２２４ｂが開口する。下固定具２２ｂは、化粧パネル２ｂの裏面の下側に左右に２つ設けられる。
【００２４】
以上の化粧パネル２ｂは、次のように前パネル２ａに取り付けられる。
図２〜図５を参照すると、まず、上固定具２１ｂの爪部２１２ｂを前パネル２ａの上取り付け開口２１ａに挿入して、上取り付け開口２１ａの上方であって前パネル２ａの裏面に至らせる。つまり、爪部２１２ｂが前パネル２ａの裏面に接して、爪部２１２ｂと化粧パネル２ｂとで、前パネル２ａとシール部３００を挟み込んだ状態となる。
シール部３００は変形してつぶれることから、化粧パネル２ｂと爪部２１２ｂの隙間の間隔は、シール部３００と前パネル２ａの厚さと同じか、少し狭く構成されている。
【００２５】
次に、下固定具２２ｂの立ち上げ部２２２ｂを前パネル２ａの下取り付け開口２２ａに挿入する。そして、化粧パネル２ｂがシステムキッチン２００の意匠面と平行となるように調整を行い、ネジ開口２２４ｂからネジを入れて、化粧パネル２ｂを前パネル２ａに対して固定する。
この様に化粧パネル２ｂを前パネル２ａに取り付けた状態において、シール部３００は化粧パネル２ｂと前パネル２ａの間に位置する。このとき、シール部３００は、化粧パネル２ｂと前パネル２ａに押されて適度に変形し、シール部３００を境に上側の空間から下側の空間に至る部分をシールする。
【００２６】
以上のように各部を構成することにより、次のような効果を得られる。
化粧パネル２ｂと前パネル２ａの間にシール部材３００を設けたので、両部材の隙間に水などの侵入を防止することができる。
特に、前パネル２ａの化粧パネル２ｂを取り付けるための開口である上取り付け開口２１ａ及び下取り付け開口２２ａの上方にシール部材３００を設けたので、開口への水の浸入を防止することができ、前パネル２ａと洗浄槽３の間に設けられた制御部３０への水の浸入を防止できる。
また、シール部材３００は、独立発泡構造であることからシール性能が優れている。
【００２７】
尚、シール部材３００は、取り付け位置に対して適宜スペーサーを用いて高さを調整することにより、シール性能を維持しつつ、化粧パネル２ｂの意匠面の傾きの調整を行うことができる。
尚、本実施の形態では、前パネル２ａにシール部３００を設けたが、化粧パネル２ｂの裏面にシール部３００を設けても良い。
【符号の説明】
【００２８】
１００  食器洗浄機、２００  システムキッチン、３００  シール部、１  筐体、２  扉体、２ａ  前パネル、２ｂ  化粧パネル、３  洗浄槽、５  操作部、６  排気口、６０  ノズル、３０  制御部、４０  送風ファン、５０  ヒーター
【図１】
2017093936.tif 000003
【図２】
2017093936.tif 000004
【図３】
2017093936.tif 000005
【図４】
2017093936.tif 000006
【図５】
2017093936.tif 000007
【図６】
2017093936.tif 000008